(57)【要約】【課題】  短時間に高含水比土の含水比の低下を図ることで工期の短縮を図り、またコストの節約および周辺環境への影響が少ない高含水比土の含水比低下装置および方法を提供することを課題とする。【解決手段】  本発明は、上記課題を解決するため、含水比低下装置で、水分を含む土である対象物に振動を与える振動装置と該対象物に剪断力を与える加圧装置とのうち少なくともいずれか一方と、前記振動により振動する前記対象物の水分を吸引する吸引装置と、前記吸引装置により吸引した水分を前記対象物の外部へ排出する排出装置とを備えることとした。【選択図】  図１
2006348590.tif 000002
【特許請求の範囲】
【請求項１】
水分を含む土である対象物に振動を与える振動装置と該対象物に剪断力を与える加圧装置とのうち少なくともいずれか一方と、
前記振動により振動する前記対象物の水分を吸引する吸引装置と、
前記吸引装置により吸引した水分を前記対象物の外部へ排出する排出装置と、
を備えることを特徴とする含水比低下装置。
【請求項２】
前記対象物を収容する対象物収容体をさらに備え、
前記振動装置による振動は、前記対象物収容体を介して前記対象物に伝達されることを特徴とする請求項１に記載の含水比低下装置。
【請求項３】
前記振動装置の振動を伝達する振動体が、前記対象物収容体の側面に配置されていることを特徴とする請求項２に記載の含水比低下装置。
【請求項４】
前記対象物収容体は、前記振動装置の上に配置されていることを特徴とする請求項２に記載の含水比低下装置。
【請求項５】
前記対象物収容体は、透水性を有する袋体であることを特徴とする請求項２から請求項４のいずれかに記載の含水比低下装置。
【請求項６】
前記吸引装置は、前記対象物の水分を吸引する吸引部を有し、
前記対象物に振動を伝達する前記振動装置の振動体は、前記吸引部の外周面又は前記吸引部の内部に配置されていることを特徴とする請求項１に記載の含水比低下装置。
【請求項７】
水分を含む土である対象物に振動又は／及び該対象物に剪断力を与えるとともに前記振動により振動する前記対象物の水分を吸引し、吸引した水分を前記対象物の外部へ排出することを特徴とする含水比低下方法。
【発明の詳細な説明】
【技術分野】
【０００１】
本発明は、水分を含む土である対象物、特に高含水比土の含水比を低下させる装置および方法に関する。
【背景技術】
【０００２】
土地造成を行う際には盛土作業が不可欠となる。そして、盛土作業に使用する土は施工が容易であるとともに締め固め強度が大きく圧縮性が少ない、適度な含水比を有する土であることが望ましい。しかし、我が国には高含水比土が多く存在し、高含水比土は転圧作業が困難な上、締め固め強度も小さい。したがって、高含水比土をそのまま盛土作業等に用いると作業効率の低下を招き、また、強度が小さいことから盛土上の構造物に支障をきたす。
【０００３】
そこで、従来、高含水比土を天日乾燥により含水比を低下させるか、或いは、改良材を高含水比土に散布し撹拌混合して盛土作業に使用することが行われている（例えば、特許文献１参照）。
【特許文献１】特開２００４−２７８１３３号公報
【発明の開示】
【発明が解決しようとする課題】
【０００４】
土地造成等の盛土作業において、高含水比土をそのまま用いると重機による転圧や十分な締め固めが困難であり作業効率の低下を招く。また、高含水比土は、強度が小さく安定性がないことから、含水比を低下させなければ盛土材料等に用いることはできない。
【０００５】
高含水比土を天日乾燥することで、含水比を低下させることは可能であるが、天日乾燥するためのスペースを確保することが必要であり、また、天日乾燥には時間がかかるので工期が遅延するという問題を生ずる。また、改良材を高含水比土に撹拌混合することで改良土を固化させることは可能であるものの、以下のような問題を生ずる。すなわち、施工時においては、風が強い日等は散布時に改良材が飛散してしまうことから使用が制限され、工期の遅延につながる。また、セメント系の改良材では、施工後において土壌のｐＨの変化に伴う周辺環境への配慮が必要となる。また、改良土の強度は、改良材と高含水比土の配合量により決定され、改良材を高含水比土に多く混合することで改良土の強度を上げることは可能であるもののコストがそれに伴って上昇するといった問題が生ずる。
【０００６】
本発明では、上記した問題に鑑み、短時間に高含水比土の含水比の低下を図ることで工期の短縮を図り、またコストの節約および周辺環境への影響が少ない高含水比土の含水比低下装置および方法を提供することを課題とする。
【課題を解決するための手段】
【０００７】
本発明では、上記した課題を解決するため、含水比低下装置であって、対象物である水分を含む土に振動を与える装置と対象物に剪断力を与える加圧装置とのうちいずれか一方と、該対象物中の水分を吸引する装置を備えることとした。このようにすることで、土に与えられた振動や土に与えられた剪断力による剪断変形により土中の間隙水圧が上昇し、吸引および排水が容易となり、含水比を低下させることができる。
【０００８】
詳細には、本発明は、含水比低下装置であって、水分を含む土である対象物に振動を与える振動装置と該対象物に剪断力を与える加圧装置とのうち少なくともいずれか一方と、前記振動により振動する前記対象物の水分を吸引する吸引装置と、前記吸引装置により吸
引した水分を前記対象物の外部へ排出する排出装置とを備えることを特徴とする。
【０００９】
上記の含水比低下装置は、対象物に振動を与える振動装置と該対象物に剪断力を与える加圧装置とのうち少なくともいずれか一方と、対象物中の水分を吸引する吸引装置と、吸引した水分を排出する排出装置とを備える。対象物とは、水分を含む土を意味し、例えば高含水比土が例示される。また、本発明は、水分を有する土の中でも特に高含水比土の含水比低下に効果的である。
【００１０】
水分を含む土は、土粒子と土粒子が互いに接触して支え合い、かかる土粒子間に形成されている間隙には空気と水が満たされている構造を有している。水分を含む土に振動装置により振動を与えると、土粒子と土粒子は互いにくっついて固まりになろうとするため、間隙に含まれている水には周りの土粒子から力が加えられることになり水圧が上昇する。土粒子間の間隙に含まれている水の圧力、すなわち間隙水圧が上昇すると圧力変化に伴い水に流れが生じる。この振動により生じた水の流れを吸引装置による吸引力で導いて外部へ排出することで含水比を低下することができる。なお、加圧装置により土に剪断力与えた場合にも、上記同様間隙水圧が上昇する。したがって、剪断力により生じた水の流れを吸引装置による吸引力で導いて外部へ排出することで含水比を低下することができる。
【００１１】
振動装置は、上述のように対象物である水分を含む土に振動を与え土中の間隙水圧を上昇させる。容積が大きい対象物を一度に大量に低含水化する場合には、大型の振動装置を用意し、これに対象物を容器等に投入した上で振動装置の上に配置し、容器に振動を与えることで高含水比土に振動を与えてもよい。また、施工現場等において盛土材料等に直接振動を与える場合には、例えば棒状部分が振動する振動装置を用意し、盛土材料にかかる振動装置を直接挿入して対象物に振動を与えてもよい。なお、振動の大きさは、振動を与える土質や含水比に応じて決定することができる。
【００１２】
加圧装置は、高含水比土に剪断力を与えることにより高含水比土に剪断変形を生じさせ、土中の間隙水圧を上昇させる。例えば、対象物を上部に開口部を有する容器へ収容し、上部より剪断力を加えることで高含水比土に剪断変形を生じさせ、高含水比土中の間隙水圧を上昇させることができる。なお、上述した振動装置と併用することで効率よく高含水比土の含水比を低下させることができる。加圧装置には、例えば圧縮機等が例示される。
【００１３】
吸引装置は、振動装置により対象物である水分を含む土に与えられた振動により発生する土中の間隙水の流れを吸引誘導する。吸引装置は、例えば、駆動源であるエンジンとポンプ本体とポンプ本体とエンジンとの間に接続されたフレキシブルホース等により構成することができる。また、駆動源とポンプ本体が一体となった吸引装置でもよい。
【００１４】
また、吸引装置のポンプ本体の対象物と接する面には、所定の径を有する複数の孔を形成したフィルタを設けてもよい。
【００１５】
吸引装置の対象物と接する面とは、対象物に挿入したポンプ本体と対象物が接する面を意味する。所定の径を有する複数の孔とは、例えば、対象物の土粒子の粒径よりも径の小さい孔が多数形成されていることを意味する。したがって、例えば対象物の土粒子の粒径に応じた孔の径を有するフィルタを用意し、これを対象物によって代えることで、高含水比土中の間隙水のみを効率よく吸引することができる。また、ポンプ本体の形状は特に限定されるものではないが、例えば棒形状や円錐形状や平板形状とすることができる。
【００１６】
ポンプ本体の形状を棒形状にすることで、直接盛土材料等に挿入する場合には挿入しやすくなり、上述したような所定の径を複数形成したフィルタを棒形状であるポンプ本体を覆うように配置することで、効率よく間隙水を吸引することができる。また、ポンプ本体
の形状を円錐形状とすることで、更に挿入等が容易となる。また、ポンプ本体の形状を平板形状として高含水比土との接触面積を多くすることで効率よく高含水比土中の間隙水を吸引することができる。なお、これらの吸引装置は、複数設けてもよく、複数設けることで高含水比土中の間隙水をより効率よく吸引することが可能となる。
【００１７】
排水装置は、吸引装置により吸引した間隙水を対象物の外部へ排出する。配水管等を吸引装置のポンプ本体に接続し、例えば排水溝等まで配水管の長さを調整して吸引装置により吸引した間隙水を排水する。
【００１８】
また、本発明は、前記対象物を収容する対象物収容体をさらに備え、前記振動装置による振動は、前記対象物収容体を介して前記対象物に伝達されるものとしてもよい。
【００１９】
対象物収容体とは、対象物である水分を含む土を収容する容器である。形状等は、特に限定されるものではなく、また、容積も特に限定されない。例えば、バック・ホー等の重機のバケットより直接対象物収容体に投入する場合には、バック・ホーのバケットより大きい開口部を有する対象物収容体であることが望ましい。また、ダンプトラック等で運搬後にダンプトラックにより直接投入する場合には、ダンプトラックの車両幅より大きい開口幅を有する対象物収容体であることが望ましい。材質も特に限定されるものではないが、対象物の荷重に耐えられる強度を有している必要がある。したがって、例えば、鋼鉄等により形成すればよい。また、対象物の収容体の側面や底部に多数の孔を形成することで対象物に含まれる水分を排出することができる。さらに、水分を含む土の含水比を低下させた後、これを対象物収容体から排出するための開閉扉等を設置してもよい。
【００２０】
また、前記対象物収容体は、透水性を有する袋体としてもよい。透水性を有する袋体とは、水分の透過は許容するが、土粒子の透過を遮断する袋体を意味する。袋体に対象物である水分を有する土を投入した後、これに振動の他に加圧装置により剪断力を加えることで以下の効果を得ることができる。すなわち、袋体に収容された対象物の間隙水が振動により圧力上昇し、更に、加圧装置による剪断変形により間隙水の圧力が上昇する。この振動および剪断力によって発生した水の流れを吸引誘導して外部へ排出することで含水比を低下させることができる。また、対象物収容体は透水性の素材であるため加圧装置による剪断変形に伴い袋体の表面からも水分を排出できるためより含水比を低下することが可能となる。なお、加圧装置は、高含水比土に剪断力を与えることにより高含水比土に剪断変形を生じさせることができればよく、例えば圧縮機等が例示される。
【００２１】
また、本発明は、前記振動装置の振動を伝達する振動体が、前記対象物収容体の側面に配置されているものとしてもよい。
【００２２】
対象物収容体の側面に配置する振動装置の振動体の形状や大きさ、振動体の配置位置および配置数は、特には限定されない。振動体の設置を取り外し可能としてもよい。また、振動装置の振動体を複数配置する場合には、それぞれを独立して制御可能としてもよい。このようにすることで振動を多く与えたい付近のみ振動を与える等、対象物の状況に応じて対象物に振動を与えることが可能となる。
【００２３】
また、本発明において、前記対象物収容体は、前記振動装置の上に配置されているものとしてもよい。
【００２４】
上記のような場合の振動装置は、振動を伝達する振動台を備え、該振動台の天面は、対象物収容体の底面積より大きな平面積を有する構成とすればよい。振動台の上に対象物収容体を配置し、振動台を振動させることで１つの振動装置により対象物収容体に投入された対象物全体に振動を与えることできる。
【００２５】
また、本発明において、前記吸引装置は、前記対象物の水分を吸引する吸引部を有し、前記対象物に振動を伝達する前記振動装置の振動体は、前記吸引部の外周面又は前記吸引部の内部に配置されているものとしてもよい。
【００２６】
振動吸引装置は、対象物である水分を含む土に振動を与える振動体と該対象物の水分を吸引するポンプを備える。具体的には、例えば対象物に挿入するポンプ本体の周囲に振動体を配置したもの等が例示される。これにより、作業用具を減らすことができ保管スペースや作業スペースの削減を図ることができる。また、作業用具の移動も簡易化され作業の効率化を図ることが可能となる。また、対象物である水分を含む土に直接振動吸引装置を挿入して水分を吸引するため、対象物を運搬する必要もなく作業の効率化を図ることができる。
【００２７】
また、本発明は、含水比低下方法であって、水分を含む土である対象物に振動又は／及び該対象物に剪断力を与えるとともに前記振動により振動する前記対象物の水分を吸引し、吸引した水分を前記対象物の外部へ排出することを特徴とする。
【００２８】
対象物である水分を含む土に振動を与えながら該対象物内の水分を吸引することで、振動により生じた水の流れを吸引装置による吸引力で導いて外部へ排出することが可能となり、その結果含水比を低下することができる。また、対象物である水分を含む土を透水性を有する袋体に投入し、振動を与える代わりに、例えば圧縮機等により剪断力を与えてもよい。さらに、振動とともに剪断力を与えることで含水比低下をより効果的に行うことができる。
【発明の効果】
【００２９】
本発明によれば、短い時間で水分を含む土の含水比の低下を図ることができるため土を用いる作業工程の短縮を図ることができる。また、本発明に係る含水比低下装置は、繰返し使用することができるのでコストの削減を図ることができる。
【発明を実施するための最良の形態】
【００３０】
次に、本発明に係る含水比低下装置の実施形態について図面に基づいて説明する。
【実施例１】
【００３１】
図１は、本発明に係る含水比低下装置の一例を示す斜視図である。同図に示すように、本実施例に係る含水比低下装置は、高含水比土１００を収容する収容体４０と収容体４０の側面に配置され収容体４０を介して振動を高含水比土１００に伝達する振動プレート２０と吸引装置のポンプ本体１０と吸引装置のポンプ本体１０により吸引した水分を排出する配水管３０を備える構成である。
【００３２】
重機等により高含水比土１００を収容体４０に投入し、振動装置および吸引装置を駆動させる。振動装置の振動プレート２０が振動を開始するとともに吸引装置のポンプ本体１０が吸引を開始する。振動プレート２０の振動は、収容体４０を介して高含水比土１００に伝達される。高含水比土１００中の土粒子は、振動により互いにくっつき合おうとするため間隙水圧が上昇する。この振動による圧力変化に伴って水の流れが生じ、この水の流れをポンプ本体１０の吸引力により吸引誘導する。吸引した水分は、配水管３０を流通して排水溝に排出する。
【００３３】
これにより短時間で高含水比土１００の含水比を低下させることができ、工期の短縮を図ることが可能となる。また、従来の改良材を用いた土壌改良では風の強い日などは、改良材散布の際、改良材が飛散してしまうため使用が制限されこともあったが、本実施例に
係る発明では、このような制限を受けずに作業を進めることができる。さらに、本発明に係る含水比低下装置は、繰返し使用可能であるためコストの削減を図ることができ、コストの削減を図るとともに高含水比土の有効利用が図れ、産業廃棄物の低減を図ることもできる。
【００３４】
なお、振動プレート２０の配置は、任意に決定すればよい。また、振動プレート２０を複数配置し、それぞれを独立して制御可能とすることで、例えば紙面手前側のみ重点的に振動を与えたい場合には、紙面手前側に配置した振動プレート２０のみ振動させることもできる。さらに、図１においては、ポンプ本体１０が１体のみ高含水比土１００に挿入されているが、高含水比土１００の土質や収容体４０の容量に応じて複数配置することで、高含水比土１００の含水比をより効果的に低下させることができる。
【００３５】
また、ポンプ本体１０の形状は、図１に示すような棒状の他、例えば平板状としてもよい。ポンプ本体１０の表面には、収容体４０に投入した高含水比土１００中の土粒子の粒径よりも小さい径を有する小孔を設けることで間隙水のみ効率よく吸引することができる。
【００３６】
収容体４０の形状等は、特に限定されるものではなく、また、容積も特に限定されない。例えば、バック・ホー等の重機のバケットより直接対象物収容体に投入する場合には、バック・ホーのバケットより大きい開口部を有する対象物収容体であることが望ましい。また、ダンプトラック等で運搬後にダンプトラックにより直接投入する場合には、ダンプトラックの車両幅より大きい開口幅を有する対象物収容体であることが望ましい。材質も特に限定されるものではないが、対象物の荷重に耐えられる強度を有している必要がある。したがって、例えば、鋼鉄等により形成すればよい。また、収容体４０の側面や底部に多数の小孔を形成することで対象物に含まれる水分を排出することができる。さらに、含水比低下後の高含水比土１００を収容体４０から排出するための開閉扉等を設置してもよい。
【実施例２】
【００３７】
図２は、本発明に係る含水比低下装置の一例を示す斜視図である。同図に示すように、本実施例に係る含水比低下装置は、振動装置の振動台２１と振動台２１の上に配置した高含水比土１００を収容する収容体４０と吸引装置のポンプ本体１０と吸引装置のポンプ本体１０により吸引した水分を排出する配水管３０を備える構成である。
【００３８】
重機等により高含水比土１００を収容体４０に投入し、振動装置および吸引装置を駆動させる。振動装置の振動台２１が振動を開始するとともに吸引装置のポンプ本体３０が吸引を開始する。振動台２１の振動は、収容体４０を介して高含水比土１００に伝達される。高含水比土中の土粒子は、振動により互いにくっつき合おうとするため間隙水圧が上昇する。この振動による圧力変化に伴って水の流れが生じ、この水の流れをポンプ本体１０の吸引力により吸引誘導する。吸引した水分は、配水管３０を流通して排水溝に排出する。これにより短時間で高含水比土１００の含水比を低下させることができ、工期の短縮を図ることが可能となる。
【００３９】
振動台２１は、図２に示すように収容体４０の底面積よりも大きい面積を有する平板形状であることが望ましい。振動台２１の上に収容体４０を配置し、振動台２１を振動させることで１つの振動装置により収容体４０に投入された高含水比土１００の全体に振動を与えることできる。なお、ポンプ本体１０および収容体４０等の既に説明した事項については説明を省略する。
【実施例３】
【００４０】
図３は、本発明に係る含水比低下装置の一例を示す図である。同図に示すように、本実施例に係る含水比低下装置は、振動吸引装置５０と配水管３０を備える構成である。振動吸引装置５０の構成については後述する。
【００４１】
盛土作業等において盛土に用いる高含水比土１０１に直接振動吸引装置５０を挿入し、振動吸引装置５０を駆動する。振動吸引装置５０は、振動を開始するとともに吸引を開始する。振動吸引装置５０の振動により高含水比土１０１が振動し、高含水比土中の土粒子は、振動により互いにくっつき合おうとするため間隙水圧が上昇する。この振動による圧力変化に伴って水の流れが生じ、この水の流れを振動吸引装置５０の吸引力により吸引誘導する。吸引した水分は、配水管３０を流通して排水溝に排出する。
【００４２】
これにより短時間で高含水比土１０１の含水比を低下させることができ、工期の短縮を図ることが可能となる。また、振動吸引装置５０は、振動機能および吸引機能を兼ね備えているため作業用具を減らすことができ保管スペースや作業スペースの削減を図ることができる。また、作業用具の移動も簡易化され作業の効率化を図ることが可能となる。さらに、対象物である水分を含む土に直接振動吸引装置を挿入して水分を吸引するため、対象物を運搬する必要もなく作業の効率化を図ることができる。
【００４３】
図４は、振動吸引装置５０の一例を示す断面図である。同図に示すように、振動吸引装置５０は、ポンプ本体１１と振動体２２と所定の径を有する孔１５を備える構成である。振動体２２の振動がポンプ本体１１へ伝達され、更に高含水比土１０１に伝達される。高含水比土１０１が振動し、高含水比土１０１中の土粒子は、振動により互いにくっつき合おうとするため間隙水圧が上昇する。この振動による圧力変化に伴って水の流れが生じ、この水の流れをポンプ本体１１の吸引力により吸引誘導し、所定の径を有する孔１５より吸引して、配水管３０を流通して排水溝に排出する。なお、所定の径を有する孔１５は、高含水比土１０１に含まれる土粒子の径よりも小さいものとすることで間隙水のみ効率よく吸引することができる。
【００４４】
また、図４に示すようにポンプ本体１１を棒状とすることで、高含水比土１０１への出し入れが容易となる。なお、ポンプ本体１１の周囲を覆うようにフィルタを配置し、該フィルタに所定の径を有する孔を複数形成してもよい。ポンプ本体１１に装着自在のフィルタを設けることで高含水比土１０１に含まれる土粒子に応じてフィルタを交換することが可能となり、また、メンテナンス等も容易となる。
【００４５】
図５は、振動吸引装置５０の別の一例を示す断面図である。同図に示すように、振動吸引装置５０は、ポンプ本体１２と振動体２３と所定の径を有する孔１５を備える構成である。振動体２３の振動がポンプ本体１２へ伝達され、更に高含水比土１０１に伝達される。高含水比土１０１が振動し、高含水比土１０１中の土粒子は、振動により互いにくっつき合おうとするため間隙水圧が上昇する。この振動による圧力変化に伴って水の流れが生じ、この水の流れをポンプ本体１２の吸引力により吸引誘導し、所定の径を有する孔１５より吸引して、配水管３０を流通して排水溝に排出する。なお、所定の径を有する孔１５は、高含水比土１０１に含まれる土粒子の径よりも小さいものとすることで間隙水のみ効率よく吸引することができる。
【００４６】
また、図５に示すようにポンプ本体１２の先端にかけての一部を円錐状とすることで、高含水比土１０１への出し入れがさらに容易となる。また、ポンプ本体１２の周囲を覆うようにフィルタを配置してもよい。
【００４７】
なお、本実施例に係る含水比低下装置は、上記に加えて以下のような構成としてもよい。図６は、本発明に係る含水比低下装置の一例を示す斜視図である。同図に示すように、
本実施例に係る含水比低下装置は、振動吸引装置５０と配水管３０と高含水比土１００を収容する収容体４０を備える構成である。収容体４０を備えることで、含水比を低下させた後、収容体４０に含水比低下後の土を収容したまま運搬することこともできる。この場合、収容体４０にクレーン等で吊上げるための吊り金具等を設置し、また、収容体４０の側面又は底部等に土を排出するための扉等を設けてもよい。
【実施例４】
【００４８】
図７（ａ）および（ｂ）は、本発明に係る含水比低下装置の一例を示す斜視図である。図７（ａ）は、高含水比土１００を透水性袋体４１へ投入する前の状態を示し、（ｂ）は、高含水比土１００を透水性袋体４１へ投入後、透水性袋体４１の上部より外力を加えた場合の状態を示す図である。
【００４９】
重機等により高含水比土１００を透水性袋体４１に投入し、透水性袋体４１の上部を閉じた後、上部より外力を加える。外力を加えられた透水性袋体４１に収容された高含水比土１００は剪断変形し、高含水比土１００中の土粒子は、外力により互いにくっつき合おうとするため間隙水圧が上昇する。この外力による圧力変化に伴って水の流れが生じ、透水性袋体４１の表面から水分が排出され、含水比を低下することができる。なお、透水性袋体４１に加える外力は上部から加える場合に限られるわけではなく、例えば左右から外力を加えることで高含水比土１００に剪断変形を生じさせるものとしてもよい。ここで、外力とは、本発明における加圧装置に相当し、含水比土に剪断力を与えるものである。
【００５０】
透水性袋体４１は、水分の透過は許容するが、土粒子の透過を遮断する素材により形成されている。外力は、圧縮機等により与えることができる。
【００５１】
また、本実施例にかかる透水性袋体４１は、上述した実施例２に示す収容体４０に代替させることも可能である（図２参照）。外力を与えることにより高含水比土１００中の水分を排出するとともに、上述した振動装置および吸引装置によって高含水比土１００中の水分を排出することで、高含水比土１００中の含水比低下をより効果的に図ることができる。
【００５２】
以上、本発明の好適な実施形態を説明したが、本発明に係る含水比低下装置は、これらに限らず、可能な限りこれらの組合せを含むことができる。
【図面の簡単な説明】
【００５３】
【図１】図１は、本発明に係る含水比低下装置の一例を示す第１の斜視図である。
【図２】図２は、本発明に係る含水比低下装置の一例を示す第２の斜視図である。
【図３】図３は、本発明に係る含水比低下装置の一例を示す図である。
【図４】図４は、振動吸引装置５０の一例を示す第１の断面図である。
【図５】図５は、振動吸引装置５０の一例を示す第２の断面図である。
【図６】図６は、本発明に係る含水比低下装置の一例を示す第３の斜視図である。
【図７】図７（ａ）および（ｂ）は、本発明に係る含水比低下装置の一例を示す第４の斜視図である。
【符号の説明】
【００５４】
１０、１１、１２・・・ポンプ本体
１５・・・孔
２０・・・振動プレート
２１・・・振動台
２２、２３・・・振動体
３０・・・配水管
４０・・・収容体
４１・・・透水性袋体
５０・・・振動吸引装置
１００、１０１・・・高含水比土
【図１】
2006348590.tif 000003
【図２】
2006348590.tif 000004
【図３】
2006348590.tif 000005
【図４】
2006348590.tif 000006
【図５】
2006348590.tif 000007
【図６】
2006348590.tif 000008
【図７】
2006348590.tif 000009